(57)【要約】      （修正有）【課題】簡単な構造で、確実に接着剤を上まぶたの皮膚に塗布することができる。【解決手段】二重まぶた成形器具１は、細長く延びる棒状部３と、棒状部３の先端に形成された上まぶたの皮膚に接着剤を塗布する塗布部４と、塗布部４に形成された接着剤を溜める孔部とを有する。塗布部４は、接着剤を塗布する平面部を有し、平面部は、棒状部３の軸線方向に対して傾斜している。孔部は、棒状部３の軸線方向に沿って長く形成されている。また、孔部は、棒状部３の軸線方向に沿って複数個形成されている。【選択図】図１
2014121361.tif 000002
【特許請求の範囲】
【請求項１】
細長く延びる棒状部と、
前記棒状部の先端に形成された上まぶたの皮膚に接着剤を塗布する塗布部と、
前記塗布部に形成された接着剤を溜める孔部と、を有することを特徴とする二重まぶた成形器具。
【請求項２】
前記塗布部は、接着剤を塗布する平面部を有することを特徴とする請求項１に記載の二重まぶた成形器具。
【請求項３】
前記平面部は、前記棒状部の軸線方向に対して傾斜していることを特徴とする請求項２に記載の二重まぶた成形器具。
【請求項４】
前記孔部は、前記棒状部の軸線方向に沿って長く形成されていることを特徴とする請求項１に記載の二重まぶた成形器具。
【請求項５】
前記孔部は、前記棒状部の軸線方向に沿って複数個形成されていることを特徴とする請求項１に記載の二重まぶた成形器具。
【発明の詳細な説明】
【技術分野】
【０００１】
この発明は、上まぶたを二重まぶたにする二重まぶた成形器具に関するものである。
【背景技術】
【０００２】
従来は、整形手術によって二重まぶたにしていたが、整形手術によらないで柔軟性の線状の器具を耳に掛け、鼻の上にのせ、上まぶたを押し当てて、上まぶたの皮膚に折り目をつけ、上まぶたの皮膚に折りぐせをつけるものがある（特許文献１）。
【０００３】
また、上まぶたの皮膚に接着剤を塗布して、接着剤によって上まぶたの皮膚に折り目をつけて二重まぶたにするものがある。
【先行技術文献】
【特許文献】
【０００４】
【特許文献１】特開２００３−３１０６５０号公報
【発明の概要】
【発明が解決しようとする課題】
【０００５】
このように、柔軟性の線状の器具を耳に掛け、上まぶたの皮膚に折りぐせをつけるものでは、折りぐせができるまで使用していなければならず面倒であり、しかも、簡単に折りぐせがなくなることがある。
【０００６】
また、上まぶたの皮膚に接着剤を塗布して、接着剤によって上まぶたの皮膚に折り目をつけて二重まぶたにするものでは、へらのような塗布具を用いて接着剤を塗布しているが、所定位置に必要量の接着剤を塗布することが困難であった。
【０００７】
この発明は、以上の問題点を解決するために、案出されたもので、簡単な構造で、確実に接着剤を上まぶたの皮膚に塗布することができる二重まぶた成形器具を提供することを目的とする。
【課題を解決するための手段】
【０００８】
かかる課題を解決するために、この発明は、以下のように構成した。
【０００９】
請求項１に記載の発明は、  握り部から延びる棒状部と、
前記棒状部の先端に形成された上まぶたの皮膚に接着剤を塗布する塗布部と、
前記塗布部に形成された接着剤を溜める孔部と、を有することを特徴とする二重まぶた成形器具である。
【００１０】
請求項２に記載の発明は、前記塗布部は、接着剤を塗布する平面部を有することを特徴とする請求項１に記載の二重まぶた成形器具である。
【００１１】
請求項３に記載の発明は、前記平面部は、前記棒状部の軸線方向に対して傾斜していることを特徴とする請求項２に記載の二重まぶた成形器具である。
【００１２】
請求項４に記載の発明は、前記孔部は、前記棒状部の軸線方向に沿って長く形成されていることを特徴とする請求項１に記載の二重まぶた成形器具である。
【００１３】
請求項５に記載の発明は、前記孔部は、前記棒状部の軸線方向に沿って複数個形成されていることを特徴とする請求項１に記載の二重まぶた成形器具である。
【発明の効果】
【００１４】
前記構成により、この発明は、以下のような効果を有する。
【００１５】
請求項１に記載の発明では、塗布部に形成された孔部に接着剤が溜まることで、簡単な構造で、確実に接着剤を上まぶたの皮膚に塗布し、上まぶたを二重まぶたにすることができる。
【００１６】
請求項２に記載の発明では、塗布部は、接着剤を塗布する平面部を有することで、所定位置に確実に接着剤を塗布することができる。
【００１７】
請求項３に記載の発明では、平面部は、棒状部の軸線方向に対して傾斜していることで、取り扱いが簡単で、所定位置に確実に接着剤を塗布することができる。
【００１８】
請求項４に記載の発明では、孔部が棒状部の軸線方向に沿って長く形成されており、所定量の接着剤を孔部に溜めることができる。
【００１９】
請求項５に記載の発明では、孔部が棒状部の軸線方向に沿って複数個形成されており、所定量の接着剤を孔部に溜めることができる。
【図面の簡単な説明】
【００２０】
【図１】二重まぶた成形器具と接着剤収容容器を示す斜視図である。
【図２】二重まぶた成形器具を示す図である。
【図３】まぶたを接着しない自然な二重をつくる使用例１を示す図である。
【図４】まぶたを接着してつくる使用例２を示す図である。
【図５】奥二重からまぶたを接着してつくる使用例３を示す図である。
【図６】塗布部の種々の実施の形態を示す図である。
【図７】塗布部の孔部の種々の実施の形態を示す図である。
【発明を実施するための形態】
【００２１】
以下、この発明の二重まぶた成形器具の実施の形態について説明する。この発明の実施の形態は、発明の最も好ましい形態を示すものであり、この発明はこれに限定されない。この実施の形態の二重まぶた成形器具を、図１及び図２に基づいて説明する。図１は二重まぶた成形器具と接着剤収容容器を示す斜視図、図２は二重まぶた成形器具を示す図である。この実施の形態の二重まぶた成形器具１は、握り部２から細長く延びる棒状部３と、棒状部３の先端に形成された上まぶたの皮膚に接着剤を塗布する塗布部４と、塗布部４に形成された接着剤を溜める孔部５とを有する。握り部２は、接着剤を収容する接着剤収容容器１０のキャップとなっている。
【００２２】
塗布部４は、接着剤を塗布する平面部４ａを有し、平面部４ａは、棒状部３の軸線方向に対して所定角度θ傾斜している。孔部５は、棒状部３の軸線方向に沿って長く形成されている。
【００２３】
次に、この実施の形態の二重まぶた成形器具１の使用例１〜３を、図３〜図５に基づいて説明する。
【００２４】
（使用例１）
図３はまぶたを接着しない自然な二重をつくる使用例である。二重を作る時は、洗顔などをしてまぶたの水分や脂分をよく拭き取り、清潔にする。次に、目を細めてあごを前に出し、下を見るようにしてまぶたの皮膚を伸ばした状態にしながら使用する（図３（ａ））。
【００２５】
接着剤収容容器１０には握り部２であるキャップがしてあり、握り部２のキャップを取り外すと、棒状部３の先端に形成された塗布部４に接着剤が付着された状態で取り出される。塗布部４によって接着剤をまつげの生え際から自分で決めた二重のラインまで所定の幅で隙間ができないように塗布する（図３（ｂ））。
【００２６】
接着剤を塗った表面を、接着剤が透明になり、指でさわってベタつがない状態に乾かす（図３（ｃ））。顔を下に向けて上目使いに目を開けると、簡単に二重の状態になり、二重になりにくい場合は、Ｙ型プレッシャー２０で二重のラインの中央あたりを押さえる（図３（ｄ））。
【００２７】
（使用例２）
図４はまぶたを接着してつくる使用例である。
二重のラインを決め、薄目にしてまつげの生え際から少し開けて、二重のラインがほぼ中央に来るように所定幅の楕円に接着剤を塗り、眼を閉じたまま待つ（図４（ａ））。接着剤が半透明になったら、Ｙ型プレッシャー２０で二重のラインの中央あたりを押さえながら、そっと目を開ける（図４（ｂ））。
【００２８】
（使用例３）
図５は奥二重からまぶたを接着してつくる使用例である。奥二重の線に接着剤を塗り、塗った表面を完全に乾かす（図５（ａ））。乾いたらまつげの生え際から、二重にしたいラインまで接着剤を塗り、塗った表面を乾かす（図５（ｂ））。
【００２９】
次に、顔を下に向けて上目使いに目を開けると、簡単に二重の状態になり、二重になりにくい場合は、Ｙ型プレッシャー２０で二重のラインの中央あたりを押さえる（図５（ｃ））。
【００３０】
このような使用例において、塗布部４に形成された孔部５に接着剤が溜まることで、簡単な構造で、確実に接着剤を上まぶたの皮膚に塗布し、上まぶたを二重まぶたにすることができる。また、塗布部４は、接着剤を塗布する平面部４ａを有することで、所定位置に確実に接着剤を塗布することができる。
【００３１】
また、塗布部４の平面部４ａは、棒状部３の軸線方向に対して傾斜していることで、取り扱いが簡単で、所定位置に確実に接着剤を塗布することができる。さらに、塗布部４の孔部５が棒状部３の軸線方向に沿って長く形成されており、所定量の接着剤を孔部５に確実に溜めることができる。
【００３２】
図６は塗布部の種々の実施の形態を示しており、塗布部４が種々の形状に形成されるが、孔部５は棒状部３の軸線方向に沿って長く形成されている。
【００３３】
図７は塗布部の孔部の種々の実施の形態を示しており、図７（ａ）〜図７（ｆ）は孔部５が連続した種々の形状であり、図７（ｇ）〜図７（ｌ）の孔部５は複数個棒状部３の軸線方向に沿って形成されている。
【産業上の利用可能性】
【００３４】
この発明は、上まぶたを二重まぶたにする二重まぶた成形器具に適用され、簡単な構造で、確実に接着剤を上まぶたの皮膚に塗布することができる。
【符号の説明】
【００３５】
１  二重まぶた成形器具
２  握り部
３  棒状部
４  塗布部
４ａ  平面部
５  孔部
１０  接着剤収容容器
【図１】
2014121361.tif 000003
【図２】
2014121361.tif 000004
【図３】
2014121361.tif 000005
【図４】
2014121361.tif 000006
【図５】
2014121361.tif 000007
【図６】
2014121361.tif 000008
【図７】
2014121361.tif 000009